(57)【特許請求の範囲】
【請求項１】
板状体（２）と、
前記板状体（２）の表面から突出し、前記板状体（２）の表面に沿って延びるように形成され、前記板状体（２）の表面に沿って角状または円弧状に屈曲している複数のリブ（１）とを備えた、鞄用滑り止め部材。
【請求項２】
前記複数のリブ（１）を上方向に屈曲したものとし、これら複数のリブ（１）を背負い鞄の背当て部（３）の使用者の背中の左右に当接する部分にそれぞれ縦に配列したことを特徴とする請求項１記載の鞄用滑り止め部材。
【請求項３】
前記複数のリブ（１）を内方向に屈曲したものとし、これら複数のリブ（１）を背負い鞄の背当て部（３）の使用者の背中の左右に当接する部分にそれぞれ横に配列したことを特徴とする請求項１記載の鞄用滑り止め部材。
【請求項４】
前記複数のリブ（１）を下方向に屈曲したものとし、これら複数のリブ（１）を、使用者の肩頂部に背負い鞄の背負いベルト（８）が接触する部分より後ろの部分に縦に配列すると共に、前記複数のリブ（１）を下方向に屈曲したものとし、これら複数のリブ（１）を、使用者の肩頂部に背負いベルト（８）が接触する部分より前の部分に縦に配列したことを特徴とする請求項１記載の鞄用滑り止め部材。
【請求項５】
前記複数のリブ（１）を内方向に屈曲したものとし、これら複数のリブ（１）を、使用者の肩頂部に背負い鞄の背負いベルト（８）が接触する部分より後ろの部分に横に配列すると共に、前記複数のリブ（１）を内方向に屈曲したものとし、これら複数のリブ（１）を、使用者の肩頂部に背負い鞄の背負いベルト（８）が接触する部分より前の部分に横に配列したことを特徴とする請求項１記載の鞄用滑り止め部材。
【発明の詳細な説明】
【技術分野】
【０００１】
この発明は、ランドセルやリュックサック等の背負い鞄、学生鞄やビジネスバッグ等のショルダーバッグ、その他各種の鞄の背当て部や背負いベルト等に用いられる鞄用滑り止め部材に関するものである。
【背景技術】
【０００２】
従来、この種の鞄用滑り止め部材は、図１２、１３に示したように、リュックサック１１の上部収納体１１ａの下方に分離可能にファスナー１２で連結された下部収納体１１ｂの背面１３に設けられたものが存在する。この滑り止め部材Ｍは、軟質合成樹脂製の短繊維を密植したものとしている（特許文献１）。
【０００３】
このような滑り止め部材Ｍを設けたリュックサック１１は、身体に密着状態として背負うことができるとしている。
【０００４】
さらに、この種の鞄用滑り止め部材は、図１４、１５に示したように、ショルダーバッグ２１のショルダーベルト２２の略中央部一帯の両面に適宜間隔をおいて複数個連設したものが存在する。この滑り止め部材Ｍは、ゴム又は合成樹脂等からなっており、長方形状の突出体や円形の突出体、その他適宜形状の突出体として実施することができるものとしている（特許文献２）。
【０００５】
このような滑り止め部材Ｍを設けたショルダーバッグ２１のショルダーベルト２２は、滑り止め部材Ｍの間隔を狭くしたり広くしたりすることや、幅を細くしたり太くしたりすることにより、滑り止め部材Ｍを連設している部分の屈曲度を調節することができるとしている。
【特許文献１】実開昭６０−１０３３２０号公報（第１頁、第１図、第４図）
【特許文献２】実開昭６１−２５８２４号公報（第１頁、第１図、第４図）
【発明の開示】
【発明が解決しようとする課題】
【０００６】
ところで、鞄の種類によっては、滑って欲しくない方向、例えばリュックサック等の背負い鞄においては、使用者の背中の下方向に鞄が滑ってずれたり、使用者の背中の左右の外方向に滑ってずれるのを阻止する必要がある。
【０００７】
しかしながら、図１２、１３に示したような従来の鞄用滑り止め部材では、使用者の背中部の上下方向またはた左右方向のいずれに対してもその滑り止め作用には特に差がなかったので、滑って欲しくない方向に対して大きな滑り止め作用を発揮することができないという問題点を有していた。
【０００８】
さらに、鞄の背負いベルトや肩掛けベルトにおいても、例えば背負いベルトにおいては使用者の肩の後方向、肩掛けベルトにおいては使用者の肩の左右の外方向というように、滑って欲しくない方向に滑ってずれるのを阻止する必要がある。
【０００９】
しかしながら、図１４、１５に示したような従来の鞄用滑り止め部材では、使用者の肩の前後方向または左右の内外方向のいずれに対してもその滑り止め作用には特に差がなかったので、滑って欲しくない方向に対して大きな滑り止め作用を発揮することができないという問題点を有していた。
【００１０】
そこで、この発明は、上記従来の問題点を解決するものであり、滑って欲しくない方向に対して大きな滑り止め作用を発揮することができる鞄用滑り止め部材を提供することを目的としてなされたものである。
【課題を解決するための手段】
【００１１】
この発明の鞄用滑り止め部材は、板状体２と、板状体２の表面から突出し、板状体２の表面に沿って延びるように形成され、板状体２の表面に沿って角状または円弧状に屈曲している複数のリブ１とを備えている。
【００１２】
そして、この発明の鞄用滑り止め部材は、前記複数のリブ１を上方向に屈曲したものとし、これら複数のリブ１を背負い鞄の背当て部３の使用者の背中の左右に当接する部分にそれぞれ縦に配列したものとしている。
【００１３】
さらに、この発明の鞄用滑り止め部材は、前記複数のリブ１を内方向に屈曲したものとし、これら複数のリブ１を背負い鞄の背当て部３の使用者の背中の左右に当接する部分にそれぞれ横に配列したものとしている。
【００１４】
また、この発明の鞄用滑り止め部材は、前記複数のリブ１を下方向に屈曲したものとし、これら複数のリブ１を、使用者の肩頂部に背負い鞄の背負いベルト８が接触する部分より後ろの部分に縦に配列すると共に、前記複数のリブ１を下方向に屈曲したものとし、これら複数のリブ１を、使用者の肩頂部に背負い鞄の背負いベルト８が接触する部分より前の部分に縦に配列したものとしている。
【００１５】
さらに、この発明の鞄用滑り止め部材は、前記複数のリブ１を内方向に屈曲したものとし、これら複数のリブ１を、使用者の肩頂部に背負い鞄の背負いベルト８が接触する部分より後ろの部分に横に配列すると共に、前記複数のリブ１を内方向に屈曲したものとし、これら複数のリブ１を、使用者の肩頂部に背負い鞄の背負いベルト８が接触する部分より前の部分に横に配列したものとしている。
【発明の効果】
【００１６】
この発明の鞄用滑り止め部材は、以上に述べたように構成されているので、滑って欲しくない方向に対して大きな滑り止め作用を発揮することができるものとなり、各種の鞄の背当て部や背負いベルト等の任意個所に適用すれば、その滑り止め作用をより充分に発揮できるものとなる。
【発明を実施するための最良の形態】
【００１７】
以下、この発明の鞄用滑り止め部材を実施するための最良の形態を、図面に基づいて詳細に説明する。
【００１８】
この発明の鞄用滑り止め部材Ｍは、図１、２に示したように、ゴム又は合成樹脂等の摩擦係数の大きい材質としており、滑って欲しくない方向の反対の方向に屈曲させた複数のリブ１を板状体２の表面に形成したものとしている。
【００１９】
そして、この発明の鞄用滑り止め部材Ｍは、図３〜６に示したように、例えば背負い鞄の一種であるランドセルＲの背当て部３に取り付けることができる。背当て部３は、図４に示したように、背板４、外装生地５及びクッション材６から構成されており、使用者の背中の左右に当接する部分にそれぞれ起伏部３ａ、３ａを形成したものとしている。
【００２０】
前記滑り止め部材Ｍは、外装生地５の表面に貼り付けられたり、外装生地５に形成された孔７から突出し、板状体２の周囲を外装生地５とクッション材６の間に挟み込み、外装生地６に縫着するなどして、背当て部３の起伏部３ａ、３ａに取り付けられている。この滑り止め部材Ｍは、図３、４に示したものでは、複数のリブ１を上方向に屈曲したものとし、これら複数のリブ１を背当て部３の起伏部３ａ、３ａにそれぞれ縦に一列配列したものとしており、図５に示したものでは、複数のリブ１を内方向に屈曲したものとし、これら複数のリブ１を背当て部３の起伏部３ａ、３ａにそれぞれ横に三列配列したものとしており、図６に示したものでは、図３、４のものと図５のものを一緒にしたような配列、すなわち上方向に屈曲した複数のリブ１を、背当て部３の起伏部３ａ、３ａにそれぞれ縦に一列配列したものとし、その下方に内方向に屈曲した複数のリブ１を背当て部３の起伏部３ａ、３ａにそれぞれ横に三列配列したものとしている。
【００２１】
前記リブ１は、図示したものでは、滑って欲しくない方向の反対の方向に角状に屈曲したものとしているが、滑って欲しくない方向の反対の方向に円弧状に屈曲させたものとしてもよい。そして、このリブ１は、図１、３、４、６に示したように縦に一列に配列したものでは、その一つ一つの寸法は、長さを約３〜４ｃｍ、幅を約２〜３ｍｍ、高さを約１〜２ｍｍ、曲げ角度を約１１０〜１３０度としており、複数を縦に一列配列した状態では縦方向の寸法を約９〜１１ｃｍ、横方向の寸法を約２〜３ｃｍとしている。前記リブ１をこのようにすれば、ランドセルＲを背負った場合に、前記リブ１が使用者の背中に接触し、背中の下方向にランドセルＲが滑ってずれるのをより阻止することができる。
【００２２】
また、前記リブ１は、図２、５、６に示したように横に三列に配列したものでは、その一つ一つの寸法は、長さを約１〜２ｃｍ、幅を約１〜２ｍｍ、高さを約１〜２ｍｍ、曲げ角度を約１１０〜１３０度としており、複数を横に三列配列した状態では横方向の寸法を約６〜８ｃｍ、横方向の寸法を約３〜４ｃｍとしている。前記リブ１をこのようにすれば、ランドセルＲを背負った場合に、前記リブ１が使用者の背中に接触し、背中の左右の外方向にランドセルＲが滑ってずれるのをより阻止することができる。
【００２３】
さらに、この発明の鞄用滑り止め部材Ｍは、図７、８に示したように、ランドセルＲの背負いベルト８に取り付けることができる。背負いベルト８は、上層体（図示せず）と下層体８ａ、これらの間に挟まれたクッション材（図示せず）から構成されている。そして、滑り止め部材Ｍは、下層体８ａの表面に貼り付けられたり、下層体８ａに形成された孔（図示せず）から突出され、その周囲を下層体８ａとクッション材の間に挟み込み、下層体８ａに縫着するなどして、背負いベルト８に取り付けられている。この滑り止め部材Ｍは、図７に示したものでは、複数のリブ１を下方向に屈曲したものとし、これら複数のリブ１を、使用者の肩頂部に背負いベルト８が接触する部分より後ろの部分に縦に二列配列すると共に、複数のリブ１を下方向に屈曲したものとし、これら複数のリブ１を、使用者の肩頂部に背負いベルト８が接触する部分より前の部分に縦に二列配列したものとしている。さらに、前記滑り止め部材Ｍは、図８に示したものでは、複数のリブ１を内方向に屈曲したものとし、これら複数のリブ１を、使用者の肩頂部に背負いベルト８が接触する部分より後ろの部分に横に七列配列すると共に、複数のリブ１を内方向に屈曲したものとし、これら複数のリブ１を、使用者の肩頂部に背負いベルト８が接触する部分より前の部分に横に七列配列したものとしている。
【００２４】
前記リブ１は、図示したものでは、滑って欲しくない方向の反対の方向に角状に屈曲したものとしているが、滑って欲しくない方向の反対の方向に円弧状に屈曲させたものとしてもよい。そして、このリブ１は、図７に示したように配列したものでは、その一つ一つの寸法は、長さを約１〜２ｃｍ、幅を約１〜２ｍｍ、高さを約１〜２ｍｍ、曲げ角度を約１１０〜１３０度としており、複数を配列した状態ではそれぞれ縦方向の寸法を約８〜１０ｃｍ、横方向の寸法を約２〜３ｃｍとしている。前記リブ１をこのようにすれば、ランドセルＲを背負った場合に、前記リブ１が使用者の肩頂部の前後に接触し、肩の後方向に背負いベルト８が滑ってずれるのをより阻止することができる。
【００２５】
また、前記リブ１は、図８に示したように配列したものでは、その一つ一つの寸法は、長さを約１〜２ｃｍ、幅を約１〜２ｍｍ、高さを約１〜２ｍｍ、曲げ角度を約１１０〜１３０度としており、複数を配列した状態ではそれぞれ縦方向の寸法を約８〜１０ｃｍ、横方向の寸法を約２〜３ｃｍとしている。前記リブ１をこのようにすれば、ランドセルＲを背負った場合に、前記リブ１が使用者の肩頂部の前後に接触し、肩の左右の外方向に背負いベルト８が滑ってずれるのをより阻止することができる。
【００２６】
さらに、この発明の鞄用滑り止め部材Ｍは、図９に示したように、ショルダーバッグＳのショルダーベルト９に取り付けることができる。
【００２７】
前記滑り止め部材Ｍは、ショルダーベルト９の裏面に直接貼り付けられたり、図１０に示したように、帯状とした板状体２の表面の両端に設けられたベルト挿入部２ａにショルダーベルト９を通すことにより、このショルダーベルト９に取り付けられている。この滑り止め部材Ｍは、図１１に示したように、板状体２の裏面の長手方向における中央部に向かって屈曲させた複数のリブ１を、前記中央部から外側に向かってそれぞれ二列に配列したものとしている。
【００２８】
前記リブ１は、図示したものでは、滑って欲しくない方向の反対の方向に角状に屈曲したものとしているが、滑って欲しくない方向の反対の方向に円弧状に屈曲させたものとしてもよい。そして、このリブ１は、図１１に示したように配列したものでは、その一つ一つの寸法は、長さを約１〜２ｃｍ、幅を約１〜２ｍｍ、高さを約１〜２ｍｍ、曲げ角度を約１１０〜１３０度としており、複数を配列した状態では縦方向の寸法を約８〜１０ｃｍ、横方向の寸法を約２〜３ｃｍとしている。前記リブ１をこのようにすれば、ショルダーバッグＳを肩に掛けた場合に、前記リブ１が使用者の肩頂部の前後に接触し、肩の前後方向にショルダーベルト９が滑ってずれるのをより阻止することができる。
【００２９】
なお、前記滑り止め部材Ｍは、ショルダーバッグＳを肩に掛けた場合に、ショルダーベルト９が肩の外方向に滑ってずれるのをより阻止するには、図示していないが、前記複数のリブ１を板状体２の裏面の幅方向において、それぞれ肩の内方向に向かって屈曲させたものとすればよい。
【図面の簡単な説明】
【００３０】
【図１】この発明の鞄用滑り止め部材の一実施形態を示す斜視図である。
【図２】この発明の鞄用滑り止め部材の他の実施形態を示す斜視図である。
【図３】この発明の鞄用滑り止め部材をランドセルの背当て部に取り付けた状態の一例を示す斜視図である。
【図４】この発明の鞄用滑り止め部材のランドセルの背当て部への取り付け方を示す説明図である。
【図５】この発明の鞄用滑り止め部材をランドセルの背当て部に取り付けた状態の他の例を示す斜視図である。
【図６】この発明の鞄用滑り止め部材をランドセルの背当て部に取り付けた状態のさらに他の例を示す斜視図である。
【図７】この発明の鞄用滑り止め部材をランドセルの背負いベルトに取り付けた状態の一例を示す説明図である。
【図８】この発明の鞄用滑り止め部材をランドセルの背負いベルトに取り付けた状態の他の例を示す説明図である。
【図９】この発明の鞄用滑り止め部材をショルダーバッグのショルダーベルトに取り付けた状態を示す斜視図である。
【図１０】図９に示したこの発明の鞄用滑り止め部材を表面側から見た状態を示す斜視図である。
【図１１】図９に示したこの発明の鞄用滑り止め部材を裏面側から見た状態を示す斜視図である。
【図１２】従来の鞄用滑り止め部材が取り付けられたリュックサックの斜視図である。
【図１３】従来の鞄用滑り止め部材が取り付けられたリュックサックの下部収納体の斜視図である。
【図１４】従来の鞄用滑り止め部材が取り付けられたショルダーバッグの斜視図である。
【図１５】従来の鞄用滑り止め部材が取り付けられたショルダーバッグのショルダーベルトの部分拡大図である。
【符号の説明】
【００３１】
１  リブ
３  背当て部
８  背負いベルト
【図１】
0005154180.tif 000002
【図２】
0005154180.tif 000003
【図３】
0005154180.tif 000004
【図４】
0005154180.tif 000005
【図５】
0005154180.tif 000006
【図６】
0005154180.tif 000007
【図７】
0005154180.tif 000008
【図８】
0005154180.tif 000009
【図９】
0005154180.tif 000010
【図１０】
0005154180.tif 000011
【図１１】
0005154180.tif 000012
【図１２】
0005154180.tif 000013
【図１３】
0005154180.tif 000014
【図１４】
0005154180.tif 000015
【図１５】
0005154180.tif 000016